(57)【要約】【課題】  装置情報を最小限のリスクでロギングを可能とし、物理的に分岐できないセンサ信号のロギングも可能とし、さらに、後付け困難なセンサの信号をロギングできるようにする。【解決手段】  ロギング対象装置１にセンサ２及び信号ケーブル４を介して接続されるコントローラ部４から送信される画像信号を分岐する分岐ケーブル５を備え、この分岐ケーブル５の一方の端部にＧＵＩ６を接続し、他方の端部に画像信号を取込んでロギングする画像処理ユニット７を接続する。【選択図】      図１
2005242465.tif 000002
【特許請求の範囲】
【請求項１】
被ロギング部と、この被ロギング部にセンサ及び信号ケーブルを介して接続され前記被ロギング部の情報を画像信号として送信するコントローラ部と、このコントローラ部から送信される画像信号に基づいて画像を表示する表示手段とを有してなるデータロギングシステムにおいて、
前記コントローラ部から送信される画像信号を分岐する分岐ケーブルを備え、
この分岐ケーブルの一方の端部に前記表示手段を接続し、他方の端部に画像信号を取込んでロギングするロギング手段を接続したことを特徴とするデータロギングシステム。
【請求項２】
被ロギング部と、この被ロギング部にセンサ及び信号ケーブルを介して接続され前記被ロギング部の情報を画像信号として送信するコントローラ部と、このコントローラ部から送信される画像信号に基づいて画像を表示する表示手段とを有してなる被データロギング装置の情報を取込みロギングするデータロギング装置において、
前記コントローラ部から送信される画像信号を分岐する分岐ケーブルを備え、
この分岐ケーブルの一方の端部に前記表示手段を接続し、他方の端部に画像信号を取込んでロギングするロギング手段を接続したことを特徴とするデータロギング装置。
【請求項３】
前記ロギング手段は取込んだ画像信号の一部、または、全部を切り出し、画像処理または信号処理によって数値データ、または、装置状態として認識することを特徴とする請求項１または２記載のデータロギングシステムまたはデータロギング装置。
【請求項４】
前記ロギング手段は数値データ、または、装置状態として認識したデータを時系列データとして記憶することを特徴とする請求項１または２記載のデータロギングシステムまたはデータロギング装置。
【請求項５】
前記ロギング手段は前記表示手段の表示画面を一時的に切り替える機能を有することを特徴とする請求項１または２記載の記載のデータロギングシステムまたはデータロギング装置。
【請求項６】
被ロギング部と、この被ロギング部にセンサ及び信号ケーブルを介して接続され前記被ロギング部の情報を画像信号として送信するコントローラ部と、このコントローラ部から送信される画像信号に基づいて画像を表示する表示手段とを有してなる被データロギング装置の情報を取込みロギングするデータロギング方法において、
前記コントローラ部から送信される画像信号を分岐ケーブルによって第１及び第２の伝達経路に分岐し、
前記第１の伝達経路に分岐された画像信号に基づいて前記表示手段により画像を表示し、
前記第２の伝達経路に分岐された画像信号を取込んでロギングすることを特徴とするデータロギング方法。
【請求項７】
前記第２の伝達経路から取込んだ画像信号の一部、または、全部を切り出し、画像処理または信号処理によって数値データ、または、装置状態として認識することを特徴とする請求項６記載のデータロギング方法。
【請求項８】
前記数値データ、または、装置状態として認識したデータを時系列データとして記憶することを特徴とする請求項７記載のデータロギング方法。
【請求項９】
前記表示手段で表示される表示画面を一時的に切り替えることを特徴とする請求項６記載のデータロギング方法。
【発明の詳細な説明】
【技術分野】
【０００１】
本発明は、被ロギング装置の状態を外部から監視、モニタするためのデータロギングシステム、データロギング装置及びデータロギング方法に関する。
【背景技術】
【０００２】
この種のデータロギングシステム、データロギング装置としては、例えば、図４に示すようなものが知られている。即ち、図４中２１はロギング対象装置で、このロギング対象装置２１にはセンサ２２が設置されている。センサ２２にはセンサ信号分岐ケーブル２３が接続されている。センサ信号分岐ケーブル２３の一端部側には装置側コントローラ部２４が接続され、他端部側には画像処理ユニット２６が接続されている。信号分岐ケーブル２３及び画像処理ユニット２６によりデータロギング装置２７が構成されている。
【０００３】
ロギング対象装置２１の装置情報はセンサ２２によって検出される。この検出信号は信号分岐ケーブル２３により分岐されて装置コントローラ２４へ送信されるとともに、データロギング装置２７に送信される。装置コントローラ２４に送信された信号に基づいて表示部２８に装置情報が表示され、データロギング装置２７に送信された信号は取込まれてデータロギングされる。
【０００４】
しかしながら、従来においては、アナログ信号であるセンサ信号を分岐するため、ロギング可能な信号は、物理的に分岐ケーブルによって分岐が可能なセンサ信号に限られていた。
【０００５】
また、センサ信号を分岐ケーブルで分岐すると、信号分岐によるノイズ等が発生し、信号を精度良くロギングできなくなる懸念があった。
【０００６】
そこで、ロギング対象装置に既存のセンサ２２とは別に新たなセンサを設置し、この新たなセンサに信号ケーブルを介してデータロギング装置を接続することが考えられている。
【発明の開示】
【発明が解決しようとする課題】
【０００７】
しかしながら、センサを新たに後付けするものは、センサの後付け作業が困難で、コスト高になっていた。しかも、取込めるセンサ信号は後付けが可能なセンサの信号に限られるという不都合があった。
【０００８】
また、センサ信号を分岐する場合、或いは、センサを後付けする場合のいずれであっても、データロギング装置を設置する場合には、被ロギング装置を停止させる必要があるとともに、改造も伴うという不都合がある。
【０００９】
また、信号毎に配線、引き回しが必要となり、信号数が多いロギングは、非常に困難である。
【００１０】
さらに、装置コントローラの内部状態のロギングは不可能であった。
【００１１】
本発明は上記事情に着目してなされたもので、その目的とするところは、装置情報を最小限のリスクでロギングを可能とし、物理的に分岐できないセンサ信号のロギングも可能とし、さらに、後付け困難なセンサの信号をロギングできるとともに、被ロギング装置の稼動を停止させることなく設置でき、しかも、制御アルゴリズムによる内部状態のロギングも可能とするデータロギングシステム、データロギング装置及びデータロギング方法を提供することにある。
【課題を解決するための手段】
【００１２】
上記課題を解決するため、請求項１記載のものは、被ロギング部と、この被ロギング部にセンサ及び信号ケーブルを介して接続され前記被ロギング部の情報を画像信号として送信するコントローラ部と、このコントローラ部から送信される画像信号に基づいて画像を表示する表示手段とを有してなる被データロギング装置の情報を取込みロギングするデータロギングシステムにおいて、前記コントローラ部から送信される画像信号を分岐する分岐ケーブルを備え、この分岐ケーブルの一方の端部に前記表示手段を接続し、他方の端部に画像信号を取込んでロギングするロギング手段を接続したことを特徴とする。
【００１３】
請求項２記載のものは、被ロギング部と、この被ロギング部にセンサ及び信号ケーブルを介して接続され前記被ロギング部の情報を画像信号として送信するコントローラ部と、このコントローラ部から送信される画像信号に基づいて画像を表示する表示手段とを有してなる被データロギング装置の情報を取込みロギングするデータロギング装置において、前記コントローラ部から送信される画像信号を分岐する分岐ケーブルを備え、この分岐ケーブルの一方の端部に前記表示手段を接続し、他方の端部に画像信号を取込んでロギングするロギング手段を接続したことを特徴とする。
【００１４】
請求項６記載のものは、被ロギング部と、この被ロギング部にセンサ及び信号ケーブルを介して接続され前記被ロギング部の情報を画像信号として送信するコントローラ部と、このコントローラ部から送信される画像信号に基づいて画像を表示する表示手段とを有してなる被データロギング装置の情報を取込みロギングするデータロギング方法において、
前記コントローラ部から送信される画像信号を分岐ケーブルによって第１及び第２の伝達経路に分岐し、前記第１の伝達経路に分岐された画像信号に基づいて前記表示手段により画像を表示し、前記第２の伝達経路に分岐された画像信号を取込んでロギングすることを特徴とする。
【発明の効果】
【００１５】
本発明によれば、被ロギング装置の装置情報を最小限のリスクでロギングすることができる。また、物理的に分岐できないセンサ信号のロギングも可能になるとともに、後付け困難なセンサの信号をロギングできる。さらに、被ロギング装置の稼動を停止させることなく、通電状態のまま簡単な作業でデータロギング装置を設置できる。また、単体のセンサ信号からは取得できない、装置の制御アルゴリズムにより判断された内部状態の取得も可能となる。さらに、多種類のデータロギングを行う場合でも、分岐ケーブルだけでロギングすることができる。
【発明を実施するための最良の形態】
【００１６】
以下、本発明を図面に示す実施の形態を参照して詳細に説明する。  
図１は本発明の第１の実施の形態であるデータロギング装置を示す構成図である。
【００１７】
図１中１は被ロギング部としてのロギング対象装置で、このロギング対象装置１には装置情報を検出する既存のセンサ２が設けられている。このセンサ２にはセンサ信号ケーブル３を介して装置コントローラ部４が接続されている。コントローラ部４には分岐ケーブル５が接続されている。分岐ケーブル５の一端側には装置側の表示手段としてのグラフィカルユーザインターフェース（以下、ＧＵＩという）６が接続され、他端側にはロギング手段としての画像処理ユニット７が接続されている。この画像処理ユニット７と分岐ケーブル５とにより、データロギング装置８が構成されている。
【００１８】
図２は上記したＧＵＩ６を示す正面図である。
【００１９】
ＧＵＩ６には、装置情報として出力値、電流値、温度、湿度、波形、周波数、点灯時間等が表示されている。一般的にＧＵＩ６では、稼動、運用において重要な情報は、操作上の便宜の観点から、ＧＵ１６の画面上の同じ位置に常時表示される場合が多い。
【００２０】
次に、上記したロギング対象装置１の装置情報をロギングする場合について説明する。
【００２１】
まず、ロギング対象装置１の装置情報がセンサ２によって検出され、この検出情報はセンサ信号ケーブル３を介して装置コントローラ部４に送信される。そして、この検出情報は装置コントローラ部４から分岐ケーブル５により分岐されてＧＵＩ６に送信されるとともに、データロギング装置の画像処理ユニット７に送信される。
【００２２】
ＧＵＩ６では送信された画像信号に基づいて画像が表示され、画像処理ユニット７では、定期的にＧＵＩ６の画像信号をキャプチャーし、特定の位置にある画像を数値、または、装置状態データとして画像処理を用いて時系列データとして認識する。この認識されたデータは画像処理ユニット７にロギングデータとして保存される。
【００２３】
上記したように、この実施の形態では、装置コントローラ部４から送信されるデジタル信号である画像信号を分岐して画像処理ユニット７に取込むため、従来のようにセンサから送信されるアナログ信号であるセンサ信号を分岐して取込む場合のように、取込信号にノイズが入る恐れが少なく、ＧＵＩ６に表示される装置情報を最小限のリスクでロギングすることが可能となる。
【００２４】
また、従来においては分岐できずに取込むことができなかったセンサ信号でも、或いはセンサの設置が困難で取込むことができなかったセンサ信号であってもロギングすることが可能となる。
【００２５】
また、新規にセンサを設置する必要がないため、取付作業が手間取ることなく、コストも低減することができる。
【００２６】
さらに、装置コントローラ部４に画像信号分岐ケーグル５を介して画像処理ユニット７を接続するため、装置を停止させたり、大きな工事を必要とすることなく、通電状態のまま簡単な作業で取り付けが可能となる。
【００２７】
また、多種類のデータロギングを行う場合でも、信号毎に配線の引き回しを必要とすることがなく、分岐ケーブル５だけでロギングが可能となり配線作業が容易となる。
【００２８】
また、装置コントローラ部４から画像信号分岐ケーグル５を介して画像信号を取込むため、単体のセンサ信号からでは取得できない装置の制御アルゴリズムにより判断された装置内部状態の情報も取得することが可能となる。
【００２９】
図３は本発明の第２の実施形態であるデータロギング装置を示すものである。
【００３０】
なお、上記した第１の実施の形態で示した部分と同一部分については、同一番号を付してその説明を省略する。
【００３１】
ＧＵＩ６が充実した装置では、複数頁に渡る表示を有する場合があるが、多くの装置では表示画面の移行はＰＣのキーボード１１の操作によって行われる。
【００３２】
この第２の実施形態では、キーボード１１の操作をエミュレーションする機能を有するＧＵＩ操作分岐ユニット１２をデータロギング装置１３に組み込んでいる。
【００３３】
キーボード１１の操作により画面切替信号を送信し、一時的にＧＵＩ６の表示画面の移行を行って画像をキャプチャーすることで別画面に表示される情報をロギングすることが出来る。
【００３４】
なお、本発明は、上記実施の形態に限られることなく、その要旨の範囲内で種々変形実施可能なことは勿論である。
【図面の簡単な説明】
【００３５】
【図１】本発明の第１の実施の形態である被ロギング装置及びそのデータロギング装置を示す構成図。
【図２】同被ロギング装置の表示装置を示す正面図。
【図３】本発明の第２の実施の形態であるデータロギング装置を示す構成図。
【図４】従来の被ロギング装置及びそのデータロギング装置を示す構成図。
【符号の説明】
【００３６】
１…ロギング対象装置（被ロギング部）、２…センサ、３…信号ケーブル、４…コントローラ部、５…分岐ケーブル、６…ＧＵＩ（表示手段）、７…画像処理ユニット（ロギング手段）、８，２７…データロギング装置。
【図１】
2005242465.tif 000003
【図２】
2005242465.tif 000004
【図３】
2005242465.tif 000005
【図４】
2005242465.tif 000006